(57)【特許請求の範囲】
【請求項１】
凹状の底面（１３）が形成された内容物容器（１０）と、
前記内容物容器（１０）に収容され、下側が前記内容物容器の前記底面の凹形状に対応するよう凸状に形成され、下端に凹溝を形成して内容物貯蔵空間（２１）を備えた含浸部材（２０）と、
前記内容物容器（１０）の上端外周面に結合される蓋体（４０）と、
からなる、ゲル状内容物の残量防止が容易なファンデーション容器。
【請求項２】
容器本体（５０）、及び該容器本体（５０）にヒンジ結合して開閉する本体蓋（６０）から構成されるファンデーション容器において、
前記容器本体（５０）の内部に装着される内部容器（７０）と、
前記内部容器（７０）に結合される内部容器カバー（８０）と、
前記内部容器（７０）の内側に結合され、凹状の底面（１３）が形成された内容物容器（１０）と、
前記内容物容器（１０）に収容され、下側が凸状に形成された含浸部材（２０）と、
からなる、ゲル状内容物の残量防止が容易なファンデーション容器。
【請求項３】
前記内容物容器（１０）の上端に結合リング（３０）をさらに結合することを特徴とする、請求項１または２に記載のゲル状内容物の残量防止が容易なファンデーション容器。
【請求項４】
前記内容物容器（１０）は、上端外周面に結合突起（１１）が形成され、上端内周面に結合環溝（１２）が形成されることを特徴とする、請求項１または２に記載のゲル状内容物の残量防止が容易なファンデーション容器。
【請求項５】
前記含浸部材（２０）は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴムおよびネオプレンよりなる群から選択される１種以上の材質からなることを特徴とする、請求項１または２に記載のゲル状内容物の残量防止が容易なファンデーション容器。
【請求項６】
前記結合リング（３０）は押圧環状顎部（３１）と結合環状突起（３２）を有することを特徴とする、請求項３に記載のゲル状内容物の残量防止が容易なファンデーション容器。
【請求項７】
前記内部容器（７０）は上端に密閉溝（７１）が形成されることを特徴とする、請求項２に記載のゲル状内容物の残量防止が容易なファンデーション容器。
【請求項８】
前記内部容器（７０）は内周面の上端に結合溝（７２）が形成されることを特徴とする、請求項２に記載のゲル状内容物の残量防止が容易なファンデーション容器。
【請求項９】
前記内部容器カバー（８０）は下側に密閉片（８２）が形成されることを特徴とする、請求項２に記載のゲル状内容物の残量防止が容易なファンデーション容器。
【発明の詳細な説明】
【技術分野】
【０００１】
本発明は、ゲル状内容物の残量防止が容易なファンデーション容器に関し、さらに詳しくは、内容物容器の底面を凹状に形成し、前記底面に対応する含浸部材の下側を凸状に形成することにより、含浸部材に含浸された内容物が凹状の底面の中央に集まるため内容物を全て使用することができる、ゲル状内容物の残量防止が容易なファンデーション容器に関する。
【背景技術】
【０００２】
一般に、化粧品は比重または剤形の異なるものを混合して製造されるが、互いに異なる剤形のものを混合した化粧品の種類には、界面活性剤のような乳化剤を用いて油性原料と水性原料とを混合した油中水型（ｗａｔｅｒ  ｉｎ  ｏｉｌ、Ｗ／Ｏ）または水中油型（ｏｉｌ  ｉｎ  ｗａｔｅｒ、Ｏ／Ｗ）の乳化型化粧料がある。
【０００３】
油中水型化粧料は、油が水よりも多く、油分の多い感じがして皮膚吸収が遅く、使用感が重いが、水中油型よりも持続性は高い。水中油型化粧料は、水が油よりも多く、油分の少ない感じがして皮膚吸収が速く、使用感がさっぱりして軽いが、持続性は低い。
【０００４】
したがって、持続性が求められる化粧品の場合は、汗や水に対する耐水性を増進させるために油中水型（ｗａｔｅｒ  ｉｎ  ｏｉｌ、Ｗ／Ｏ）化粧料として製造される。
【０００５】
油中水型化粧料は、使用感が重くべたつくという欠点があるが、内容物の粘度を下げて補完することができる。ところが、低粘度の油中水型製品は、流通中に容器内で長期保管するときに内相の水相と外相の油相が互いに分離される場合があるが、この場合には、ユーザが容器を振ることにより、分離された水相と油相を互いに混合して使用しているが、使い勝手が悪かった。
【０００６】
このような問題点を解決するために、本出願人は、韓国特許第１０−１１５９８７７号に開示されている、低粘度の油中水型内容物を含浸部材に含浸させてコンパクト容器に入れた製品を開発した。
【０００７】
ゲル状内容物を含浸したコンパクト容器のゲル状内容物を含浸した含浸部材は、最初の使用の際にはゲル状内容物が含浸部材に均一に含浸されている。
【０００８】
しかし、ユーザが含浸部材のゲル状内容物をパフで軽く押さえて使用することにより、含浸部材の上部にあったゲル状内容物は枯渇してしまい、さらに重力によってゲル状内容物が含浸部材の上部から下部へ移動する。
【０００９】
この際、含浸部材、及び該含浸部材を収容する内部容器が平らであるため、含浸部材の下部にはゲル状内容物が均一に広がって残っている。
【００１０】
よって、含浸部材の上面にパフを押さえて使用しようとしても、ゲル状内容物がうまく付かないため、コンパクトを使用することが非常に難しいという問題点がある。
【００１１】
このため、ユーザは、含浸部材を内部容器から分離し、その上端と下端の位置を入れ替えた状態で容器に入れて使用した。ところが、ユーザが含浸部材を内部容器から分離することは容易ではないうえ、再び結合する過程でゲル状内容物が汚染するおそれがあり、周辺も汚くなり、使い勝手が良くないという問題点があった。
【発明の概要】
【発明が解決しようとする課題】
【００１２】
本発明は、かかる問題点を解決するために案出されたもので、その目的は、内容物容器の底面を凹状に形成し、前記底面に対応する含浸部材の下側を凸状に形成することにより、含浸部材に含浸された内容物が凹状の底面の中央に集まるため内容物をすべて使用することができる、ゲル状内容物の残量防止が容易なファンデーション容器を提供することにある。
本発明の他の目的は、下部に残っているゲル状内容物を使用するためにユーザが含浸部材をひっくり返さなくても、ゲル状内容物をすべて使用することができるので、使い勝手が良い、ゲル状内容物の残量防止が容易なファンデーション容器を提供することにある。
【課題を解決するための手段】
【００１３】
本発明は、凹状の底面１３が形成された内容物容器１０と、
前記内容物容器１０に収容され、下側が凸状に形成された含浸部材２０と、
前記内容物容器１０の上端に結合される結合リング３０と、
前記内容物容器１０の上端外周面に結合される蓋体４０と、からなる、ゲル状内容物の残量防止が容易なファンデーション容器を提供する。
【００１４】
また、本発明は、前記含浸部材２０が内蔵された内容物容器１０を別途の容器本体５０に結合することができる。
【００１５】
つまり、容器本体５０と、
前記容器本体５０にヒンジ結合して開閉する本体蓋６０と、
前記容器本体５０の内部に装着される内部容器７０と、
前記内部容器７０に結合される内部容器カバー８０と、
前記内部容器７０の内側に結合され、凹状の底面１３が形成された内容物容器１０と、
前記内容物容器１０に収容され、下側が凸状に形成された含浸部材２０と、
前記内容物容器１０の上端に結合される結合リング３０と、からなる、ゲル状内容物の残量防止が容易なファンデーション容器を提供する。
【００１６】
また、本発明の内容物容器１０は、上端外周面に結合突起１１が形成され、上端内周面に結合環溝１２が形成されることを特徴とする。
【００１７】
また、本発明の含浸部材２０は下端に凹溝を形成して内容物貯蔵空間２１を備えることを特徴とする。
【００１８】
また、本発明の結合リング３０は押圧環状顎部３１と結合環状突起３２を有することを特徴とする。
【発明の効果】
【００１９】
本発明に係るゲル状内容物の残量防止が容易なファンデーション容器は、内容物容器の底面を凹状に形成し、前記底面に対応する含浸部材の下側を凸状に形成することにより、含浸部材に含浸された内容物が凹状の底面の中央に集まるため内容物をすべて使用することができるという効果がある。
【００２０】
また、本発明に係るゲル状内容物の残量防止が容易なファンデーション容器の下部に残っているゲル状内容物を使用するためにユーザが含浸部材をひっくり返さなくても、ゲル状内容物をすべて使用することができるので、使い勝手が良いという効果がある。
【図面の簡単な説明】
【００２１】
【図１】本発明に係るゲル状内容物の残量防止が容易なファンデーション容器の実施形態を示す結合斜視図である。
【図２】本発明に係るゲル状内容物の残量防止が容易なファンデーション容器の実施形態を示す分解斜視図である。
【図３】本発明に係るゲル状内容物の残量防止が容易なファンデーション容器の実施形態を示す結合断面図である。
【図４】本発明に係るゲル状内容物の残量防止が容易なファンデーション容器の蓋体を分離した状態を示す状態図である。
【図５】本発明に係るゲル状内容物の残量防止が容易なファンデーション容器の他の実施形態を示す結合断面図である。
【図６】本発明に係るゲル状内容物の残量防止が容易なファンデーション容器の別の実施形態を示す蓋体を開放した状態の斜視図である。
【図７】本発明に係るゲル状内容物の残量防止が容易なファンデーション容器の別の実施形態を示す分解斜視図である。
【図８】本発明に係るゲル状内容物の残量防止が容易なファンデーション容器の別の実施形態の内容物容器を容器本体に結合する状態を示す状態図である。
【図９】本発明に係るゲル状内容物の残量防止が容易なファンデーション容器の別の実施形態の内容物容器を容器本体に結合した状態を示す状態図である。
【発明を実施するための形態】
【００２２】
以下に添付図面を参照しながら、本発明に係るゲル状内容物の残量防止が容易なファンデーション容器の実施形態を説明する。
【００２３】
図１は本発明に係るゲル状内容物の残量防止が容易なファンデーション容器の実施形態を示す結合斜視図、図２は本発明に係るゲル状内容物の残量防止が容易なファンデーション容器の実施形態を示す分解斜視図、図３は本発明に係るゲル状内容物の残量防止が容易なファンデーション容器の実施形態を示す結合断面図、図４は本発明に係るゲル状内容物の残量防止が容易なファンデーション容器の蓋体を分離した状態を示す状態図、図５は本発明に係るゲル状内容物の残量防止が容易なファンデーション容器の他の実施形態を示す結合断面図、図６は本発明に係るゲル状内容物の残量防止が容易なファンデーション容器の別の実施形態を示す蓋体を開放した状態の斜視図、図７は本発明に係るゲル状内容物の残量防止が容易なファンデーション容器の別の実施形態を示す分解斜視図、図８は本発明に係るゲル状内容物の残量防止が容易なファンデーション容器の別の実施形態の内容物容器を容器本体に結合する状態を示す状態図、図９は本発明に係るゲル状内容物の残量防止が容易なファンデーション容器の別の実施形態の内容物容器を容器本体に結合した状態を示す状態図である。
【００２４】
本発明に係るゲル状内容物の残量防止が容易なファンデーション容器は、内容物容器１０、前記内容物容器１０に収容される含浸部材２０、前記内容物容器１０の上端に結合される結合リング３０、及び前記内容物容器１０の上端外周面に結合される蓋体４０から構成される。
【００２５】
前記内容物容器１０は、上端外周面に結合突起１１が形成され、上端内周面に結合環溝１２が形成され、内側には底面１３が形成される。
【００２６】
前記内容物容器１０の内部には含浸部材２０が収容される。
【００２７】
前記結合突起１１は、内容物容器１０の上端外周面に形成され、蓋体３０と結合することにより内容物容器１０を密閉させる役割を果たす。
【００２８】
前記結合環溝１２は、上端内周面に形成され、結合リング３０と結合することにより、内容物容器１０に収容された含浸部材２０が離脱することを防ぐ役割を果たす。
【００２９】
前記底面１３は、凹状に形成され、内容物が凹状の底面１３の中間に集まることができるようにする。
【００３０】
前記含浸部材２０は、内容物容器１０に収容され、下側は前記内容物容器１０の凹状の底面１３に対応して凸状に形成される。
【００３１】
また、図５に示すように、本発明の他の実施形態での如く、含浸部材２０の下端に凹溝を形成して内容物貯蔵空間２１を備えることもできる。
【００３２】
前記内容物貯蔵空間２１には、含浸部材２０の下側が凸状に形成されているため、本発明のファンデーション容器の使用の際に一定の時間が経過すると、重力によって、前記含浸部材２０に含浸されたゲル状内容物が内容物貯蔵空間２１に集まることになる。
【００３３】
この際、ユーザがパフで含浸部材２０を押圧すると、内容物貯蔵空間２１に集まっている内容物がユーザの加圧によって含浸部材２０へ移動して含浸部材２０の中央部に内容物が集中することになる。
【００３４】
前記含浸部材２０は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴム、およびネオプレンよりなる群から選択される１種以上の材質を含むことができる。
【００３５】
前記結合リング３０は、内容物容器１０の上端内周面に結合され、押圧環状顎部３１と結合環状突起３２が形成されている。
【００３６】
前記結合リング３０は、内容物容器１０と結合することにより、内容物容器１０に収容された含浸部材２０が離脱することを防ぐ役割を果たす。
【００３７】
前記押圧環状顎部３１は、結合リング３０の上面に形成され、含浸部材２０を押すことにより、前記含浸部材２０が内容物容器１０から動いたり離脱したりすることを防ぐ。
【００３８】
前記結合環状突起３２は、結合リング３０の側面外周に形成され、内容物容器１０の結合環溝１２に結合されることにより前記結合リング３０を固定させる役割を果たす。
【００３９】
前記蓋体４０は、内側に結合溝４１を有し、内容物容器１０の結合突起１１に結合することにより前記内容物容器１０を密閉させる役割を果たす。
【００４０】
本発明のゲル状内容物の残量防止が容易なファンデーション容器の内容物容器１０は、蓋体４０を結合する構造だけでなく、図６〜図９に示すように容器本体５０と、該容器本体５０にヒンジ結合して開閉する本体蓋６０とから構成されるファンデーション容器に結合して使用されることもできる。
【００４１】
次に、図６〜図９に示すように、本発明の別の実施形態について説明する。
【００４２】
本発明の別の実施形態は、容器本体５０と、該容器本体５０にヒンジ結合する本体蓋６０と、前記容器本体５０の内部に装着される内部容器７０と、該内部容器７０に結合される内部容器カバー８０と、前記内部容器７０に結合される内容物容器１０と、前記内容物容器１０に収容される含浸部材２０と、前記内容物容器１０の上端に結合される結合リング３０とを含んでなる。
【００４３】
前記容器本体５０は、一側面にはロック顎部５２を備えたプッシュボタン５１が形成され、前記プッシュボタン５１の対向する側にはヒンジが形成されることにより、本体蓋６０とヒンジ結合されている。
【００４４】
前記容器本体５０は内部に内部容器７０が装着され、前記内部容器７０は容器本体５０と一体に形成されてもよい。
【００４５】
前記プッシュボタン５１は、ユーザの押圧動作によりプッシュボタン５１の上部に延設されたロック顎部５２が容易に後退することにより、本体蓋６０のロック突起６２から離脱できるようにする。
【００４６】
前記本体蓋６０は、容器本体５０の上部を覆うもので、容器本体５０とヒンジ結合で連結され、容器本体５０を開放または閉鎖する役割を果たす。
【００４７】
前記本体蓋６０の一側にはロック突起６２を形成するが、ロック顎部５２に対応するように突起形状からなる。
【００４８】
また、前記本体蓋６０の内側には鏡６１を備える。前記鏡６１は、内容物を利用して化粧をするとき、容易に化粧を行うことができるようにする。
【００４９】
前記内部容器７０は、上端に密閉溝７１が形成され、内周面の上端には結合溝７２が形成される。
【００５０】
また、内部容器７０は、内部容器カバー８０との結合のためのヒンジブラケット７３とヒンジピン７４が形成されている。
【００５１】
前記内部容器７０は、容器本体５０と一体に形成されてもよく、分離して形成されてもよい。
【００５２】
本発明の別の実施形態では、分離して形成された構造に基づいて説明する。
【００５３】
前記密閉溝７１は、内部容器７０の上端に形成され、内部容器カバー８０の密閉片８２が挿入されて内容物容器１０の気密性を増大させる役割を果たす。
【００５４】
前記結合溝７２は、内容物容器１０と結合することにより、前記内容物容器１０を内部容器７０に固定結合させる。
【００５５】
前記ヒンジブラケット７３は、内部容器７０の側面に形成され、ヒンジピン７４によって内部容器カバー８０とヒンジ結合する。
【００５６】
前記内部容器カバー８０は、一端にヒンジ突起８３を備えることにより、内部容器７０とヒンジ結合する。
【００５７】
また、内部容器カバー８０の上面には、化粧道具であるパフ（図示せず）を保管することが可能なパフ内蔵空間８４が形成される。
【００５８】
前記内部容器カバー８０の一端に形成されたヒンジ突起８３は、内部容器７０のヒンジブラケット７３に挟まれてヒンジピン７４によって固設される。
【００５９】
前記内部容器カバー８０の下端には、密閉片８２が形成され、内部容器７０の密閉溝７１に嵌合されて内容物容器１０の気密性を増大させる役割を果たす。
【００６０】
前記内部容器カバー８０の一側面には、容易な開閉のために開閉ハンドル８１が形成される。
【００６１】
前記内容物容器１０は、内部容器７０の内側に結合され、上端外周面に結合突起１１が形成され、上端内周面に結合環溝１２が形成され、内側には底面１３が形成される。
【００６２】
前記内容物容器１０の内部には含浸部材２０が収容される。
【００６３】
前記結合突起１１は、内容物容器１０の上端外周面に形成され、内部容器７０の結合溝７２に結合することにより、内容物容器１０が内部容器７０に固定装着できるようにする役割を果たす。
【００６４】
次に、本発明の実施形態と別の実施形態に係るゲル状内容物の残量防止が容易なファンデーション容器の組立方法及び使用状態を詳細に説明する。
【００６５】
本発明の実施形態は、凹状の底面１３が形成された内容物容器１０に、内容物が含浸された下側が凸状に形成された含浸部材２０を装着する。その後、内容物容器１０の上端の結合環溝１２に結合リング３０の結合環状突起３２を嵌合することにより、含浸部材２０を内容物容器１０から離脱しないようにする。そして、図３に示すように、内容物容器１０の上端外周面に形成された結合突起１１に蓋体４０の結合溝４１を結合することにより、本発明のゲル状内容物の残量防止が容易なファンデーション容器の組み立てを完了する。
【００６６】
前述の方法で組み立てられたゲル状内容物の残量防止が容易なファンデーション容器の内容物を使用するためには、図４に示すように、内容物容器１０から蓋体４０を分離する。
【００６７】
その後、パフを使って含浸部材２０を押圧することにより、前記含浸部材２０に含浸された内容物を取って化粧をする。
【００６８】
本発明のゲル状内容物の残量防止が容易なファンデーション容器を使用すると、内容物容器１０の底面１３が凹んだ形状であるため、含浸部材２０の下側に残った内容物が重力によって底面１３の中間に集まることになる。
【００６９】
前記底面１３の中間に集まった内容物は、パフを使って含浸部材２０を押圧すると、内容物が含浸部材２０へ移動してすべて使用することができるという効果がある。
【００７０】
また、本発明の別の実施形態は、ヒンジ結合で連結された容器本体５０と、本体蓋６０とから構成されるファンデーション容器において、前記容器本体５０の内側に内部容器７０を結合する。前記内部容器７０は内部容器カバー８０とヒンジ結合で連結される。
【００７１】
その後、内容物容器１０に含浸部材２０を収容し、結合リング３０を結合して組み立てた後、図８に示すように容器本体５０の下側から内容物容器１０を嵌合することにより、本発明のゲル状内容物の残量防止が容易なファンデーション容器の組み立てを完了する。
【００７２】
前述の方法で組み立てられたゲル状内容物の残量防止が容易なファンデーション容器の内容物を使用するためには、パフを使って含浸部材２０を押圧することにより、前記含浸部材２０に含浸された内容物を取って化粧をする。
【００７３】
以上、本発明で説明したものは、ゲル状内容物の残量防止が容易なファンデーション容器を実施するための一実施形態に過ぎない。本発明は、前述した一実施形態に限定されるものではない。添付された請求の範囲で請求するように、本発明の要旨を逸脱することなく、当該発明の属する分野における通常の知識を有する者であれば、誰でも様々な変更実施が可能な範囲まで本発明の範囲に属するものとみなされるべきである。
【符号の説明】
【００７４】
１０    内容物容器
１１    結合突起
１２    結合環溝
１３    底面
２０    含浸部材
２１    内容物貯蔵空間
３０    結合リング
３２    結合環状突起
４０    蓋体
４１    結合溝
５０    容器本体
５１    プッシュボタン
５２    ロック顎部
６０    本体蓋
６１    鏡
６２    ロック突起
７０    内部容器
７１    密閉溝
７２    結合溝
７３    ヒンジブラケット
７４    ヒンジピン
８０    内部容器カバー
８１    開閉ハンドル
８２    密閉片
８３    ヒンジ突起
８４    パフ内蔵空間
【図１】
0006307160.tif 000002
【図２】
0006307160.tif 000003
【図３】
0006307160.tif 000004
【図４】
0006307160.tif 000005
【図５】
0006307160.tif 000006
【図６】
0006307160.tif 000007
【図７】
0006307160.tif 000008
【図８】
0006307160.tif 000009
【図９】
0006307160.tif 000010